(57)【要約】【課題】配線から離れたところでの状況確認や、図面との対応確認を容易に行うことができる配線状況検査装置を提供する。【解決手段】  電気設備１１，１２間を接続する配線１３毎に取り付けられるタグ装置１６との無線によるデータ授受により配線状況を検査する検査装置本体１５からなる。タグ装置１６は、取り付けられる配線に付された配線情報をタグ側配線情報保持部１６１に保持する。保持された配線情報と検査装置本体１５からの配線情報とを照合部１６３で照合する。この照合結果が一致すると一致した配線情報をタグ側送受信部１６２により検査装置本体１５へ無線送信する。検査装置本体１５は、複数の配線に付された配線情報を本体側配線情報保持部で保持する。保持された配線情報のいずれかを本体側送受信部１５２によりタグ装置１６へ送信すると共に、送信されてくる配線情報を受信する。受信した配線情報を配線情報出力部１５３により、送信した配線情報と対応させて出力する。【選択図】図２
2015175638.tif 000002
【特許請求の範囲】
【請求項１】
電気設備間を接続する配線毎に取り付けられるタグ装置と、このタグ装置との無線によるデータ授受により配線状況を検査する検査装置本体とからなり、
前記タグ装置は、
取り付けられる配線に付された接続元／接続先情報、及び仕様情報を含む配線情報を保持するタグ側配線情報保持部と、
このタグ側配線情報保持部に保持された配線情報と前記検査装置本体からの配線情報とを照合する照合部と、
前記検査装置本体からの配線情報を受信して前記照合部に与えると共にこの照合部の照合結果が一致すると取り付けられた配線の配線情報を前記検査装置本体へ無線送信するタグ側送受信部とを備え、
前記検査装置本体は、
前記電気設備間を接続する複数の配線に付された接続元／接続先情報、及び仕様情報を含む配線毎の配線情報を保持する本体側配線情報保持部と、
この本体側配線情報保持部に保持された配線情報のいずれかを前記タグ装置へ送信すると共に、前記タグ装置からの送信されてくる配線情報を受信する本体側送受信部と、
この本体側送受信部が受信した前記タグ装置からの配線情報を、前記送信した配線情報と対応させて出力する配線情報出力部とを備えた
ことを特徴とする配線状況検査装置。
【請求項２】
前記検査装置本体は配線情報出力部として、前記送信した配線情報と受信した自己配線情報との対応関係を音声出力する音声出力部を有することを特徴とする請求項１に記載の配線状況検査装置。
【請求項３】
前記検査装置本体は配線情報出力部として、配線図がグラフィック表示されるディスプレイ部を有し、この表示された配線図中のいずれかの配線を指示することにより、対応する配線情報が無線送信され、この無線送信された配線情報に対応する前記タグ装置からの配線情報を受信すると、前記ディスプレイ部は、グラフィック表示された配線図上の、前記受信した配線情報対応する配線の表示形態を変化させることを特徴とする請求項１に記載の配線状況検査装置。
【請求項４】
前記検査装置本体は配線情報出力部として、配線図をグラフィック表示可能なディスプレイ部を有し、いずれかの配線情報が無線送信され、この無線送信された配線情報に対応する前記タグ装置からの配線情報を受信すると、前記ディスプレイ部は、受信された配線情報に基づく配線図を逆再生してグラフィック表示することを特徴とする請求項１に記載の配線状況検査装置。
【発明の詳細な説明】
【技術分野】
【０００１】
本発明の実施形態は、電気設備間の配線状況を検査確認するための配線状況検査装置に関する。
【背景技術】
【０００２】
従来、電気設備間に配線される各種配線、例えば、プラント設備に敷設する外線ケーブルには、その接続元／接続先を表す「Ｆｒｏｍ−Ｔｏ情報」、仕様である「ケーブル種別」「芯線サイズ」「長さ」や、さらに「施工年度」「施工業者名」等で構成される配線情報を記載したケーブルラベルを貼付している。このラベルは盤内など、目に触れる近場でケーブルに貼付されている場合は比較的容易に目視確認でき、目的のケーブルを見付けることができる。しかし、地中埋設管内やコンクリート埋込電線管内のケーブルを、離れた位置から探し、特定することは困難であった。
【０００３】
近年、建築物付帯電気地中ケーブルの老朽化、並びに電気設備更新に伴う更新工事が多く行われている。更新工事に当たり、電気設備などの制作時期が古く、また、制作図面の保管媒体が紙である場合、紙図面が劣化して読めなかったり、紛失して存在しないことも生じ得る。このような場合、前述したケーブルラベルだけでは、ラベル自体の劣化もあり、ケーブルの要／不要の判別が難しく、不要ケーブルの切断・撤去作業時に、必要なケーブルを誤切断する事故が発生していた。
【０００４】
また、配線工事竣工後に、現地の施工情況が図面を忠実に反映されているかを確認する必要がある。この場合、やはり前述したケーブルラベルを貼付しただけでは、配線状況の確認作業に多大な労力が必要となる。このため、現物施工物と図面との間に差異が生じ、その後の保守管理に支障が生じるおそれがある。
【０００５】
そこで、これらの問題に対処すべく、配線毎にその配線情報を保持したＩＣタグを取り付け、外部から配線情報を無線送信して、情報が合致した場合、ＩＣタグに付属させたＬＥＤを点灯させるようにして配線状況確認作業の容易化を図った提案がある（例えば、特許文献１参照）。
【先行技術文献】
【特許文献】
【０００６】
【特許文献１】特開２００３−１１４２４７号公報
【発明の概要】
【発明が解決しようとする課題】
【０００７】
上述したＬＥＤを用いた提案は現地での作業効率の向上には貢献するが、配線から離れたところでの確認や、図面との対応確認などの面で不十分な面があり、改善が必要となる。
【０００８】
本発明が解決しようとする課題は、配線から離れたところでの状況確認や、図面との対応確認を容易に行うことができる配線状況検査装置を提供することにある。
【課題を解決するための手段】
【０００９】
本発明の実施の形態に係る配線状況検査装置は、電気設備間を接続する配線毎に取り付けられるタグ装置と、このタグ装置との無線によるデータ授受により前記配線状況を検査する検査装置本体とからなり、前記タグ装置は、取り付けられる配線に付された接続元／接続先情報、及び仕様情報を含む配線情報を保持するタグ側配線情報保持部と、このタグ側配線情報保持部に保持された配線情報と前記検査装置本体からの配線情報とを照合する照合部と、前記検査装置本体からの配線情報を受信して前記照合部に与えると共にこの照合部の照合結果が一致すると取り付けられた配線の配線情報を前記検査装置本体へ無線送信するタグ側送受信部とを備え、前記検査装置本体は、前記電気設備間を接続する複数の配線に付された接続元／接続先情報、及び仕様情報を含む配線毎の配線情報を保持する本体側配線情報保持部と、この本体側配線情報保持部に保持された配線情報のいずれかを前記タグ装置へ送信すると共に、前記タグ装置からの送信されてくる配線情報を受信する本体側送受信部と、この本体側送受信部が受信した前記タグ装置からの配線情報を、前記送信した配線情報と対応させて出力する配線情報出力部とを備えたことを特徴とする。
【図面の簡単な説明】
【００１０】
【図１】本発明の一実施形態に係る配線状況検査装置の概略構成図である。
【図２】本発明の一実施形態における検査装置本体とタグ装置との関係を表す機能ブロック図である。
【図３】図２で示した配線情報出力部の構成例を示す機能ブロック図である。
【図４】図３で示したディスプレイ部に表示される回路図の一例を示す図である。
【発明を実施するための形態】
【００１１】
以下、本発明の実施の形態について、図面を参照して詳細に説明する。
【００１２】
図１は電気設備間に配線される各種配線の一例として、各種プラント設備に設置される配電盤１１，１２間を接続する外線ケーブル１３示している。この例では、外線ケーブル１３として、地下に敷設されるケーブルを示している。
【００１３】
この実施の形態に係る配線状況検査装置は、上述した配電盤１１，１２等の電気設備間を接続するケーブル１３の配線状況を検査確認するものであり、パーソナルコンピュータ（以下、パソコンと呼ぶ）等により構成される検査装置本体１５と、ケーブル（配線）１３の所定箇所に取り付けられたタグ装置１６とで構成される。このタグ装置１６は、検査装置本体１５との間で無線によりデータ送受信可能なものである。なお、ケーブル１３としては１本の電力ケーブル、又は複数の配線を束ねた制御用のケーブルのいずれでもよい。複数の配線からなるケーブルの場合は、タグ装置１６は配線毎に取り付けられることもある。以下の説明はケーブル１３として複数の配線を束ねたものとして説明する。したがって、以下の説明ではケーブル１３を複数の配線１３と呼ぶ場合がある。
【００１４】
図１では、配電盤１１，１２を接続するケーブル１３を、地中に設けられたハンドホール１７，１８を中間に介して地中に敷設している。タグ装置１６としては、データ保持機能や無線通信機能等を有する、ＩＣタグと呼ばれているものを用いる（以下、ＩＣタグ１６として説明する）。このＩＣタグ１６は、ケーブル１３の外周に挟み付け、取り付ける。ＩＣタグ１６の取り付け場所は、配電盤１１，１２間のケーブル１３の接続ルート内で、ケーブル１３の両端末部、盤間を途中経由する埋設ハンドホール１７，１８内を含む地中数箇所とする。なお、ＩＣタグ１６の詳細構成は後述する。
【００１５】
検査装置本体１５は、前述のようにパソコン等により構成された情報処理機能を有するもので、図２で示すように、全体を統括制御するＣＰＵ１５０、本体側配線情報保持部１５１、本体側送受信部１５２、及び配線情報出力部１５３を有する。
【００１６】
本体側配線情報保持部１５１には複数の配線１３毎に付された配線情報がそれぞれ保持されている。この配線情報としては、電気設備１１，１２間に接続される配線１３の接続元／接続先情報、及びケーブル種別、芯線サイズ、長さなどの仕様情報、その他、施工年度、施工業者名等の情報を組み合わせたものである。本体側送受信部１５２は、これら複数の配線情報のうち、オペレータの操作などにより指定された配線情報をＩＣタグ１６に対して無線により個別に送信する。配線情報出力部１５３については後述する。
【００１７】
ＩＣタグ１６は、同じく図２で示すように、全体を統括制御するＣＰＵ１６０、タグ側配線情報保持部１６１、タグ側送受信部１６２、及び照合部１６３を有する。
【００１８】
このＩＣタグ１６は複数の配線１３毎にそれぞれ取り付けられるもので、タグ側配線情報保持部１６１は、このＩＣタグ１６が取り付けられる配線に固有の配線情報を保持している。この配線情報は、配線固有の接続元／接続先情報、及びケーブル種別、芯線サイズ、長さなどの仕様情報、その他、施工年度、施工業者名等の組み合わせである。タグ側送受信部１６２は、検査装置本体１５から送信されてくる配線情報を受信し、照合部１６３に与える機能と、照合部１６３における後述する照合結果が一致すると、自己の配線に付された配線情報を検査装置本体１５へ無線送信する機能とを有する。
【００１９】
照合部１６３は、タグ側送受信部１６２が受信した検査装置本体１５からの配線情報と、タグ側配線情報保持部１６１に保持されている自己配線に固有の配線情報とを照合する。そして、この照合結果が一致すると、ＩＣタグ１６に設けたＬＥＤ等による表示器１６４を点灯させる。同時に、自己の配線に固有の配線情報をタグ側送受信部１６２に与え、検査装置本体１５へ無線送信させる。
【００２０】
検査装置本体１５に設けられた配線情報出力部１５３は、本体側送受信部１５２が受信したＩＣタグ１６からの配線情報を、ＩＣタグ１６へ送信した配線情報と対応させて出力する。例えば、図３で示すように、配線情報出力部１５３に音声制御部１５４及び音声出力部１５５を設け、ＩＣタグ１６へ送信した配線情報とＩＣタグ１６から受信した配線情報との対応関係を音声出力する。
【００２１】
配線情報出力部１５３に、図３で示すように、画像表示制御部１５６とディスプレイ部１５７を設けると、本体側配線情報保持部１５１に保持された複数の配線１３毎の配線情報に基づく配線図、例えば、図４で示すように複数の電気機器間の接続状態を表す配線図をディスプレイ部１５７によりグラフィック表示することができる。図４の例では、電気機器ａ１，ａ２，ｂ１，ｂ２間の接続状態を、本体側配線情報保持部１５１に保持された配線情報に基づいてグラフィック表示した配線図を示している。この表示された配線図中のいずれかの配線を指示することにより、対応する配線情報を、本体側送受信部１５２からＩＣタグ１６へ送信するように構成できる。そして、ＩＣタグ１６での前述した照合により一致した結果の配線情報がＩＣタグ１６から送られてくると、この一致結果に基づき画像表示制御部１５６はディスプレイ部１５７にグラフィック表示された配線図上の、受信した配線情報に対応する配線の表示形態を変化させる。例えば、配線図上の該当する配線の表示色を変化させたり点滅させたりする。
【００２２】
このとき、ＩＣタグ１６からは、実際に敷設されている配線の配線情報が送られてくるので、ディスプレイ部１５７に表示されていた配線図が間違っていても、ＩＣタグ１６から送られてくる実際に敷設されている配線の配線情報に基づき、正しい配線をグラフィック表示するので、間違った箇所を修正することができる。例えば、ＩＣタグ１６へ送信した配線情報の接続元／接続先情報が、設備ａ１から設備ｂ１への接続状態を表しているにも関わらす、ディスプレイ部１５７に表示された配線図上では、設備ａ２から設備ｂ１への接続状態が図示されているものとする。この場合、オペレータは表示された配線図から該当する配線は設備ａ２から設備ｂ１への接続と認識して指示するが、ＩＣタグ１６から送られてくる実際に敷設された配線の配線情報は設備ａ１から設備ｂ１への接続状態を表しているので、これらａ１，ｂ１間を結ぶ線の表示形態が変化する。すなわち、ディスプレイ部１５７に表示されていた配線図が間違っていても、ＩＣタグ１６から送られてくる、実際に敷設されている配線の配線情報に基づき、正しい配線状態をグラフィック表示するので、この間違い箇所を修正することができる。
【００２３】
また、図面が紛失したことなどにより手元になくとも、ＩＣタグ１６から送られてくる配線情報に基づき、正しい配線図を新たに作成することができる。
【００２４】
上記実施形態において、検査装置本体１５は、ケーブル配線図とケーブル情報（配線情報）が登録されたパソコンにワイヤレス送受信器端末を備えた構成とし、図示しないが送受信用のコイルを内蔵しているものとする。これに対し、図１で示したハンドホール１７，１８内を通るケーブル（複数の配線）１３には、図２で示したＬＥＤなどによる表示器１６４付のＩＣタグ１６が取り付けられているものとする。このＩＣタグ１６の中には前述のように送受信器１６２及び照合部１６３が設けられている。以下の説明はハンドホール１７，１８内にあるケーブル１３の中から目的のケーブルを探すこととする。
【００２５】
ここで、検査装置本体１５を構成するパソコンの図３で示したディスプレイ１５７には、各機器間の配線状況を表す図４で示すような配線図（施工図と呼ぶ）がグラフィック表示されているものとする。
【００２６】
検査員（オペレータ）は、まず、捜索対象のケーブルを指示するため、ディスプレイ１５７の中に描かれた施工図中の線を電子ペンでヒットする。この操作によりヒットされた線に登録された配線情報を、本体側送受信器１５２に内蔵された図示しないコイルにより電磁波にして送信する。ハンドホール１７，１８内のケーブル１３に巻き付けたＬＥＤ表示器付のＩＣタグ１６は、その送受信器１６２により、送信されてくる電磁波を受ける。
【００２７】
ＩＣタグ１６の送受信器１６２は図示しないコイルが電磁誘導による誘起起電力で発電する。発電された電力はＩＣタグ１６を構成している各装置の動作電源となる。このように受信したデータにはケーブルデータ情報（配線情報）が含まれており、この受信したケーブル情報と、ＩＣタグ１６内のタグ側配線情報保持部１６１に保持された自配線固有の配線情報とを照合部１６３で照合する。その結果、これら両配線情報が一致すればＬＥＤなどによる表示器１６４を点灯させる。
【００２８】
また、前述のようにコイルによって発電された電気で、ＩＣタグ１６内のタグ側配線情報保持部１６１に登録された配線情報を、タグ側送受信器１６２の図示しないコイルを通して検査装置本体１５へ送信する。この配線情報を検査装置本体１５の本体側送受信器１５２、すなわち、パソコンのワイヤレス送受信器１５２の端末コイルで受信し、電磁波データの中から図示しないフィルターにより配線情報を取り出す。この取り出した配線情報は、図３で示した音声制御器１５４及び音声出力部１５５により、音声出力する。
【００２９】
このように、現場におけるＬＥＤ表示器１６４の点灯目視と検査装置本体１５側での音声出力とにより配線情報を二重確認することで、捜索対象ケーブルを容易に把握し確認することができる。
【００３０】
また、検査装置本体１５では、ＩＣタグ１６からの配線情報を受信することで、この配線情報が、パソコンの図３で示したディスプレイ部１５７に表示した施工図面上のどこのケーブルであるかを表示できる。すなわち、捜索対象のケーブルが図面上のどこに配線されているかを目視確認することができる。このとき、ディスプレイ部１５７上に表示された施工図面（配線図）上の、受信した配線情報に対応する線の表示形態を、例えば、色替え等により表示し、確認できるようにする。
【００３１】
また、ディスプレイ１５７に表示された施工図の線を電子ペンでヒットして指示した場合、この指示した線と別の線が色替え表示された場合は、元の配線図が間違っていることを意味し、この間違いを早期に検出して対処することができる。
【００３２】
さらに、受信した配線情報をもとにディスプレイ上に線図と配線情報を逆再生して工事図面を書き上げることもできる。
【００３３】
このように、更新工事等における撤去ケーブルを、検査装置本体１５を構成するパソコン端末画面に識別表示し、施工図上目視で識別したり、ＩＣタグ１６のＬＥＤ表示器１６４を電磁誘導作用で点灯させたりすることで、現物を目視確認できる。また、配線情報を音声することで、目視に加えて耳で二重確認できる。
【００３４】
また、ＩＣタグ１６から受信した配線情報を、検査装置本体１５を構成するパソコンのディスプレイ１５７に表示されたケーブル施工図面上で表示出力することで捜索対象のケーブルが図面上のどこのケーブルであるかを線と色別表示で確認できる。これにより地下埋設撤去ケーブルの位置確認や作業時における見間違えなどのヒューマンエラーを排除し、作業の敏速性と確実性の向上を図る。
【００３５】
さらに、受信した配線情報をもとにディスプレイ１５７上に線図と配線情報を逆再生製作し工事図面を書き上げることもでき、図面と品質の維持管理も図れることになる。
【００３６】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３７】
１１，１２…電気設備
１３…複数の配線
１５…検査装置本体
１５１…本体側配線情報保持部
１５２…本体側送受信部
１５３…配線情報出力部
１５５…音声出力部
１５７…ディスプレイ部
１６…タグ装置
１６１…タグ側配線情報保持部
１６２…タグ側送受信部
１６３…照合部
１６４…表示器
【図１】
2015175638.tif 000003
【図２】
2015175638.tif 000004
【図３】
2015175638.tif 000005
【図４】
2015175638.tif 000006